【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
ビデオデータの現在のブロックを復号する方法であって、
複数のイントラ予測モードの中からビデオデータの前記現在のブロックのイントラ予測のためのM個の最確モード(MPM)を導出するステップであって、Mが3より大きく、前記MPMが左の隣接列のMPMおよび上の隣接行のMPMを含み、前記M個の最確モードを導出するステップが、
(i)前記左の隣接列の中の複数の隣接ブロックにおいて使用されるイントラ予測モードを、最小の予測単位サイズの単位でカウントするステップ、
前記左の隣接列の中の前記複数の隣接ブロックにおいて使用される前記イントラ予測モードの最も頻繁なものとして、前記左の隣接列の代表的なイントラ予測モードを定義するステップ、および、
前記左の隣接列の前記MPMとして、前記左の隣接列の前記定義された代表的なイントラ予測モードを使用するステップ、または、
(ii)前記上の隣接行の中の複数の隣接ブロックにおいて使用されるイントラ予測モードを、前記最小の予測単位サイズの単位でカウントするステップ、
前記上の隣接行の中の前記複数の隣接ブロックにおいて使用される前記イントラ予測モードの最も頻繁なものとして、前記上の隣接行の代表的なイントラ予測モードを定義するステップ、および、
前記上の隣接行の前記MPMとして、前記上の隣接行の前記定義された代表的なイントラ予測モードを使用するステップ
のうちの少なくとも1つを備える、ステップと、
ビデオデータの前記現在のブロックのイントラ予測のための前記複数のイントラ予測モードのうちの選択されたイントラ予測モードを示すためにMPMインデックスが使用されるか非MPMインデックスが使用されるかを示すシンタックス要素を復号するステップと、
前記最確モードインデックスまたは前記非最確モードインデックスのうちの前記示されるものを復号するステップであって、前記最確モードインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、ステップと、
前記選択されたイントラ予測モードに基づいてビデオデータの前記現在のブロックを再構築するステップとを備える、方法。
【請求項２】
ビデオデータの前記現在のブロックが前記ビデオデータの現在のピクチャの中の現在のコーディング単位(CU)であり、
ビデオデータの前記現在のブロックのための前記選択されたイントラ予測モードが、前記現在のCUの現在の予測単位(PU)のための選択されたイントラ予測モードであり、
ビデオデータの前記現在のブロックを再構築するステップが、
前記選択されたイントラ予測モードを使用して前記現在のPUの予測ブロックを生成するステップと、
前記CUのPUの前記予測ブロックのサンプルを、前記現在のCUの変換単位(TU)の変換ブロックの対応するサンプルに加算することによって、残差値を使用して前記現在のCUを再構築するステップと
を備える、請求項1に記載の方法。
【請求項３】
ビデオデータの現在のブロックを符号化する方法であって、
複数のイントラ予測モードの中からビデオデータの前記現在のブロックのイントラ予測のためのM個の最確モード(MPM)を導出するステップであって、Mが3より大きく、前記MPMが左の隣接列のMPMおよび上の隣接行のMPMを含み、前記M個の最確モードを導出するステップが、
(i)前記左の隣接列の中の複数の隣接ブロックにおいて使用されるイントラ予測モードを、最小の予測単位サイズの単位でカウントするステップ、
前記左の隣接列の中の前記複数の隣接ブロックにおいて使用される前記イントラ予測モードの最も頻繁なものとして、前記左の隣接列の代表的なイントラ予測モードを定義するステップ、および、
前記左の隣接列の前記MPMとして、前記左の隣接列の前記定義された代表的なイントラ予測モードを使用するステップ、または、
(ii)前記上の隣接行の中の複数の隣接ブロックにおいて使用されるイントラ予測モードを、前記最小の予測単位サイズの単位でカウントするステップ、
前記上の隣接行の中の前記複数の隣接ブロックにおいて使用される前記イントラ予測モードの最も頻繁なものとして、前記上の隣接行の代表的なイントラ予測モードを定義するステップ、および、
前記上の隣接行の前記MPMとして、前記上の隣接行の前記定義された代表的なイントラ予測モードを使用するステップ
のうちの少なくとも1つを備える、ステップと、
ビデオデータの前記現在のブロックのイントラ予測のための前記複数のイントラ予測モードのうちの選択されたイントラ予測モードを示すためにMPMインデックスが使用されるか非MPMインデックスが使用されるかを示すシンタックス要素を符号化するステップと、
前記MPMインデックスまたは前記非MPMインデックスのうちの前記示されるものを符号化するステップであって、前記MPMインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、ステップと、
前記選択されたイントラ予測モードに基づいてビデオデータの前記現在のブロックを符号化するステップとを備える、方法。
【請求項４】
ビデオデータの前記現在のブロックが前記ビデオデータの現在のピクチャの中の現在のコーディング単位(CU)であり、
ビデオデータの前記現在のブロックのための前記選択されたイントラ予測モードが、前記現在のCUの現在の予測単位(PU)のための選択されたイントラ予測モードであり、
前記選択されたイントラ予測モードに基づいてビデオデータの前記現在のブロックを符号化するステップが、
前記PUの前記選択されたイントラ予測モードに基づいて、前記PUの予測ブロックを生成するステップと、
前記現在のCUと前記予測ブロックとの間のピクセル差分を表す残差データを生成するステップとを備える、請求書3に記載の方法。
【請求項５】
ビデオデータの現在のブロックを復号するためのデバイスであって、
前記ビデオデータを記憶するように構成されるメモリと、
1つまたは複数のプロセッサとを備え、前記1つまたは複数のプロセッサが、
複数のイントラ予測モードの中からビデオデータの前記現在のブロックのイントラ予測のためのM個の最確モード(MPM)を導出することであって、Mが3より大きく、前記MPMが左の隣接列のMPMおよび上の隣接行のMPMを含み、前記M個の最確モードを導出することの一部として、前記1つまたは複数のプロセッサが、
(i)前記左の隣接列の中の複数の隣接ブロックにおいて使用されるイントラ予測モードを、最小の予測単位サイズの単位でカウントすること、
前記左の隣接列の中の前記複数の隣接ブロックにおいて使用される前記イントラ予測モードの最も頻繁なものとして、前記左の隣接列の代表的なイントラ予測モードを定義すること、および、
前記左の隣接列の前記MPMとして、前記左の隣接列の前記定義された代表的なイントラ予測モードを使用すること、または、
(ii)前記上の隣接行の中の複数の隣接ブロックにおいて使用されるイントラ予測モードを、前記最小の予測単位サイズの単位でカウントすること、
前記上の隣接行の中の前記複数の隣接ブロックにおいて使用される前記イントラ予測モードの最も頻繁なものとして、前記上の隣接行の代表的なイントラ予測モードを定義すること、および、
前記上の隣接行の前記MPMとして、前記上の隣接行の前記定義された代表的なイントラ予測モードを使用すること
のうちの少なくとも1つを実行するように構成される、導出することと、
ビデオデータの前記現在のブロックのイントラ予測のための前記複数のイントラ予測モードのうちの選択されたイントラ予測モードを示すためにMPMインデックスが使用されるか非MPMインデックスが使用されるかを示すシンタックス要素を復号することと、
前記最確モードインデックスまたは前記非最確モードインデックスのうちの前記示されるものを復号することであって、前記最確モードインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、復号することと、
前記選択されたイントラ予測モードに基づいてビデオデータの前記現在のブロックを再構築することと
を行うように構成される、デバイス。
【請求項６】
ビデオデータの前記現在のブロックが前記ビデオデータの現在のピクチャの中の現在のコーディング単位(CU)であり、
ビデオデータの前記現在のブロックのための前記選択されたイントラ予測モードが、前記現在のCUの現在の予測単位(PU)のための選択されたイントラ予測モードであり、
前記1つまたは複数のプロセッサが、ビデオデータの前記現在のブロックを再構築することの一部として、
前記選択されたイントラ予測モードを使用して前記現在のPUの予測ブロックを生成し、
前記CUのPUの前記予測ブロックのサンプルを、前記現在のCUの変換単位(TU)の変換ブロックの対応するサンプルに加算することによって、残差値を使用して前記現在のCUを再構築する
ように構成される、請求項5に記載のデバイス。
【請求項７】
ビデオデータの現在のブロックを符号化するためのデバイスであって、
前記ビデオデータを記憶するように構成されるメモリと、
1つまたは複数のプロセッサとを備え、前記1つまたは複数のプロセッサが、
複数のイントラ予測モードの中からビデオデータの前記現在のブロックのイントラ予測のためのM個の最確モード(MPM)を導出することであって、Mが3より大きく、前記MPMが左の隣接列のMPMおよび上の隣接行のMPMを含み、前記M個の最確モードを導出することの一部として、前記1つまたは複数のプロセッサが、
(i)前記左の隣接列の中の複数の隣接ブロックにおいて使用されるイントラ予測モードを、最小の予測単位サイズの単位でカウントすること、
前記左の隣接列の中の前記複数の隣接ブロックにおいて使用される前記イントラ予測モードの最も頻繁なものとして、前記左の隣接列の代表的なイントラ予測モードを定義すること、および、
前記左の隣接列の前記MPMとして、前記左の隣接列の前記定義された代表的なイントラ予測モードを使用すること、または、
(ii)前記上の隣接行の中の複数の隣接ブロックにおいて使用されるイントラ予測モードを、前記最小の予測単位サイズの単位でカウントすること、
前記上の隣接行の中の前記複数の隣接ブロックにおいて使用される前記イントラ予測モードの最も頻繁なものとして、前記上の隣接行の代表的なイントラ予測モードを定義すること、および、
前記上の隣接行の前記MPMとして、前記上の隣接行の前記定義された代表的なイントラ予測モードを使用すること
のうちの少なくとも1つを実行するように構成される、導出することと、
ビデオデータの前記現在のブロックのイントラ予測のための前記複数のイントラ予測モードのうちの選択されたイントラ予測モードを示すためにMPMインデックスが使用されるか非MPMインデックスが使用されるかを示すシンタックス要素を符号化することと、
前記最確モードインデックスまたは前記非最確モードインデックスのうちの前記示されるものを符号化することであって、前記最確モードインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、符号化することと、
前記選択されたイントラ予測モードに基づいてビデオデータの前記現在のブロックを符号化することと
を行うように構成される、デバイス。
【請求項８】
ビデオデータの前記現在のブロックが前記ビデオデータの現在のピクチャの中の現在のコーディング単位(CU)であり、
ビデオデータの前記現在のブロックのための前記選択されたイントラ予測モードが、前記現在のCUの現在の予測単位(PU)のための選択されたイントラ予測モードであり、
前記1つまたは複数のプロセッサが、ビデオデータの前記現在のブロックを再構築することの一部として、
前記選択されたイントラ予測モードを使用して前記現在のPUの予測ブロックを生成し、
前記CUのPUの前記予測ブロックのサンプルを、前記現在のCUの変換単位(TU)の変換ブロックの対応するサンプルに加算することによって、残差値を使用して前記現在のCUを再構築する
ように構成される、請求項7に記載のデバイス。
【請求項９】
命令を記憶するコンピュータ可読記憶媒体であって、前記命令が、1つまたは複数のプロセッサによって実行されると、前記1つまたは複数のプロセッサに、
複数のイントラ予測モードの中からビデオデータの現在のブロックのイントラ予測のためのM個の最確モード(MPM)を導出することであって、Mが3より大きく、前記MPMが左の隣接列のMPMおよび上の隣接行のMPMを含み、前記1つまたは複数のプロセッサに前記M個の最確モードを導出させることの一部として、前記命令が、前記1つまたは複数のプロセッサによって実行されると、前記1つまたは複数のプロセッサに、
(i)前記左の隣接列の中の複数の隣接ブロックにおいて使用されるイントラ予測モードを、最小の予測単位サイズの単位でカウントすること、
前記左の隣接列の中の前記複数の隣接ブロックにおいて使用される前記イントラ予測モードの最も頻繁なものとして、前記左の隣接列の代表的なイントラ予測モードを定義すること、および、
前記左の隣接列の前記MPMとして、前記左の隣接列の前記定義された代表的なイントラ予測モードを使用すること、または、
(ii)前記上の隣接行の中の複数の隣接ブロックにおいて使用されるイントラ予測モードを、前記最小の予測単位サイズの単位でカウントすること、
前記上の隣接行の中の前記複数の隣接ブロックにおいて使用される前記イントラ予測モードの最も頻繁なものとして、前記上の隣接行の代表的なイントラ予測モードを定義すること、および、
前記上の隣接行の前記MPMとして、前記上の隣接行の前記定義された代表的なイントラ予測モードを使用すること
のうちの少なくとも1つを実行させる、導出することと、
ビデオデータの現在のブロックのイントラ予測のための前記複数のイントラ予測モードのうちの選択されたイントラ予測モードを示すためにMPMインデックスが使用されるか非MPMインデックスが使用されるかを示すシンタックス要素をコーディングすることと、
前記MPMインデックスまたは前記非MPMインデックスのうちの前記示されるものをコーディングすることであって、前記MPMインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、コーディングすることと、
前記選択されたイントラ予測モードに基づいてビデオデータの前記現在のブロックをコーディングすることとを行わせる、コンピュータ可読記憶媒体。